(57)【要約】      （修正有）【課題】効果的かつ効率的に減圧収納袋の排気弁部から排気させることができ、かつ排気弁部の複数の大きさに対応可能な減圧収納袋用電動空気ポンプを提供する。【解決手段】減圧収納袋用電動空気ポンプＰは、ポンプ本体１０に減圧収納袋内の吸気を行う吸気口部１２を備え、吸気口部は、減圧収納袋の排気弁弁体部１２０を覆うように減圧収納袋の排気弁基板部１２１の少なくとも一部に対して当接する。【選択図】図１
0003188021.tif 000002
【実用新案登録請求の範囲】
【請求項１】
ポンプ本体に減圧収納袋内の吸気を行う吸気口部を備え、
前記吸気口部は、前記減圧収納袋の排気弁弁体部を覆うように前記減圧収納袋の排気弁基板部の少なくとも一部に対して当接する減圧収納袋用電動空気ポンプ。
【請求項２】
前記吸気口部には、前記減圧収納袋内の吸気を行うためのアダプタを装着可能な請求項１に記載の減圧収納袋用電動空気ポンプ。
【考案の詳細な説明】
【技術分野】
【０００１】
本考案は、衣類、寝具等を減圧収納袋内に収納した状態で減圧することによって嵩を小さくする用途に適した減圧収納袋用電動空気ポンプに関する。
【背景技術】
【０００２】
従来、衣装ケース、たんす、押入、クローゼット等の収納スペースを有効利用するために、布団等の収納物を密封式の袋本体を構成するフィルム内に収納した後、電気掃除機等の吸引装置によって減圧収納袋内の空気を袋本体の排気弁部から吸引排気することにより、収納物を圧縮減容して嵩を小さくし、この状態で排気弁部を閉じて保存する減圧収納袋がある。このような減圧収納袋の内部が減圧状態又は真空状態に維持されるので、防カビ、防虫等の効果も期待することができる。
【０００３】
上記の袋本体内の空気を吸引排気する手段として、既に掃除用に購入されている家庭用の電気掃除機が用いられることが多い。
しかし、電気掃除機は用具としては大型で持ち運びや取扱いを簡易に行うことが困難、すなわち、わざわざ電気掃除機を運び出すことが必要であったり、狭いスペースでの窮屈な作業が必要であるという問題点があった。
また、本来の用途以外に電気掃除機を用いることは電気掃除機自体を故障させる要因にもなっていた。
また、クリーナータイプの先端部分の形状が袋本体の排気弁部を用いた吸引排気に適さない電気掃除機のみしか所有していない場合もある。
また、電気掃除機の利用者の片手が塞がれてしまい、両手による作業を行うことができなくなったり、その場所に居なくてはならなくなり他所にて他の作業を行うことができないという問題点があった。
【０００４】
特許文献１に開示されているように、ポンプ本体が電動モータ等の動力源の出力軸の両端部又は一端部に少なくとも１以上の羽根車を設けて構成される減圧収納袋用専用ポンプを使用することであってよいが、ポンプの吸気口部が減圧収納袋の排気弁部の内部に嵌め込まれる態様であり、減圧収納袋の排気弁部の形状が限定されるため汎用性が低い。
【先行技術文献】
【特許文献】
【０００５】
【特許文献１】実開平５−８９８８７号公報
【考案の概要】
【考案が解決しようとする課題】
【０００６】
一義的には、掃除機を用いることによる上記の各問題点を解決しつつ、電動空気ポンプの吸気により効果的かつ効率的に減圧収納袋の排気弁部から排気させ、減圧収納袋に収納された収納物を減圧圧縮することが求められる。
【０００７】
本考案の目的は、効果的かつ効率的に減圧収納袋の排気弁部から排気させることができ、かつ排気弁部の複数の大きさに対応可能な減圧収納袋用電動空気ポンプを提供することにある。
【課題を解決するための手段】
【０００８】
本考案の減圧収納袋用電動空気ポンプは、
ポンプ本体に減圧収納袋内の吸気を行う吸気口部を備え、
前記吸気口部は、前記減圧収納袋の排気弁弁体部を覆うように前記減圧収納袋の排気弁基板部の少なくとも一部に対して当接する。
このように構成することにより、減圧収納袋に収納物が収納された状態から、減圧収納袋内の空気を排気するための吸気を減圧収納袋用電動空気ポンプで行うと、吸気口部が減圧収納袋の排気弁弁体部を覆うように減圧収納袋の排気弁基板部と当接して、外気の侵入や空気の漏れを低減するので、効果的かつ効率的に減圧収納袋に収納された収納物を減圧圧縮することができる。
また、吸気口部が減圧収納袋の排気弁部を覆う態様であるので、上記の特許文献１のように吸気口部が排気弁部の内部に嵌め込まれる態様と異なり、排気弁部の大きさが異なっていても吸気口部が排気弁部を覆うことができる大きさ・形状である限り、対応可能となる。
【０００９】
また、本考案の減圧収納袋用電動空気ポンプの吸気口部には、減圧収納袋内の吸気を行うためのアダプタを装着可能であってもよい。
このように構成することにより、アダプタ部の吸着部と排気弁基板部とが密着することによる外気の侵入や空気の漏れの低減が図られる。また、アダプタの形状によっては、アダプタの吸着部と排気弁基板部との吸着は、減圧収納袋用電動空気ポンプの使用者が手指で押圧した際の吸着（一部隙間が生じている状態や、容易に分離可能に弱く吸着している状態もあり得る。）のみでなく、吸気時の吸着部が皿状（コンタクトレンズ状）に覆っている空間の内外気圧差により一層強固に排気弁基板部との吸着が促進されるので、安定的に吸着状態が保持され、効果的かつ効率的に収納物を減圧圧縮することができる。
【考案の効果】
【００１０】
本考案によれば、効果的かつ効率的に減圧収納袋の排気弁部から排気させることができ、かつ排気弁部の複数の大きさに対応可能な減圧収納袋用電動空気ポンプを提供することができる。
【図面の簡単な説明】
【００１１】
【図１】本考案の第１の実施の形態における減圧収納袋内の空気を排気する状態を説明する図である。
【図２】本考案の第１の実施の形態における減圧収納袋の斜視図である。
【図３】本考案の第１の実施の形態に係る減圧収納袋及び排気弁部の構造を示す断面図である。
【図４】本考案の第１の実施の形態における減圧収納袋の要部拡大平面図であり図２におけるＹ部拡大平面図である。
【図５】本考案の第１の実施の形態における排気弁部の他の実施例の構成を示す図である。
【図６】図５の実施例の排気弁部の構造を示す断面図である。
【図７】本考案の第２の実施の形態における排気弁部の構造を示す断面図である。
【図８】本考案の第３の実施の形態における減圧収納袋用電動空気ポンプ及びアダプタを示す図である。
【考案を実施するための形態】
【００１２】
以下、本考案の第１の実施の形態を図面を参照しつつ説明する。本実施形態の減圧収納袋用電動空気ポンプＰは、減圧収納袋１００に対して用いられることにより機能を発揮する。
まず、減圧収納袋用電動空気ポンプＰの構成について説明した後に、減圧収納袋１００の構成について説明する。
【００１３】
[減圧収納袋用電動空気ポンプＰ]
本実施形態の減圧収納袋用電動空気ポンプＰは、ポンプ本体１０を備えて構成されている。ポンプ本体１０における各部の構成及び動作を説明するために使用される上、下、左、右、前、後等の方向を示す表現は、絶対的なものでなく相対的なものであり、ポンプ本体１０における各部が図に示される姿勢である場合に適切であるが、その姿勢が変化した場合には姿勢の変化に応じて変更して解釈されるべきものである。
【００１４】
[減圧収納袋用電動空気ポンプＰ−ポンプ本体１０]
図１に示すように、ポンプ本体１０は、布団等の空気太りする物品（収納物）を収納するための減圧収納袋１００内の空気を吸引するための吸気能力が十分大きくないポンプであり、本体のポンプケーシング内には、電動モータ（不図示）が配置されている。汎用プラスティック、ポリエチレン樹脂等の樹脂製であってよい。ポンプケーシングの外側には取っ手状の把持部１１が形成されている。
【００１５】
ポンプケーシングの一方側には空気が吸入される吸気口部１２が突設されており、吸気口部１２は、ポンプケーシング１１よりも小径の環状（例えば、厚さ寸法１ｍｍ〜３ｍｍ、高さ寸法１０ｍｍ〜２０ｍｍ）に形成されており、格子体を備えることであってもよい。
【００１６】
ポンプケーシング１１の他方側には排気口部１３が設けられている。排気口部１３は、端部壁の一部を側方に延伸する筒部とすることや、半円状に切り欠くこと等により形成されていてよい。
【００１７】
スイッチ１４で電動モータをＯＮ／ＯＦＦして、ポンプケーシングに内蔵されている不図示の回転翼（ファン）により、ポンプケーシングの吸気口部１２から空気を吸入し、排気口部１３に排出する。
【００１８】
ポンプケーシング１１の上方に電動モータ用電源コード１５が挿通保持される箇所が設けられている。
【００１９】
なお、ポンプケーシングの一方から空気を吸入し、他方に排出するようにするのではなく、ポンプケーシングの両側に吸気口部を設け、かつ、ポンプケーシングの中途部に排気口部を設けるようにしてもよい。また、ポンプケーシングの内部に複数の電池等が内蔵されてスイッチ１４で電動モータをＯＮ／ＯＦＦする構成であってもよい。
【００２０】
[減圧収納袋１００]
本実施形態の減圧収納袋１００は、主に袋本体１１０と、排気弁部１２０から構成されている。なお、減圧収納袋本体１１０及び排気弁部１２０における各部の構成及び動作を説明するために使用される上、下、左、右、前、後等の方向を示す表現は、絶対的なものでなく相対的なものであり、減圧収納袋本体１１０及び排気弁部１２０における各部が図に示される姿勢である場合に適切であるが、その姿勢が変化した場合には姿勢の変化に応じて変更して解釈されるべきものである。
【００２１】
図２に示すように、本実施形態の減圧収納袋１００は既存の製品であってよく、基本的な機能構成は種々の既知の技術が適用されてよい。
【００２２】
減圧収納袋１００は、略矩形に形成された２枚のフィルム状の袋本体１１０を重ね合わせ、矩形の三辺を接着、熱融着、超音波溶着等の方法によって気密に固着することにより形成された袋状部材であり、後述する排気弁部１２０を有する。また、２枚の袋本体１１０の一辺は、固着されておらず開閉可能な収納物の出入口となっている。その出入口には、開閉機構としてのチャック部が配設され、開放及び閉止可能となっている。
【００２３】
減圧収納袋１００の内部に収納される対象物である収納物１３０は、いかなる種類の有体物であってもよいが、好適には、ある程度の柔軟性を備えている。ここでは、収納物１３０が肌着、セーター等の衣類や毛布、布団、シーツ等の寝具であることを前提とする。
【００２４】
そして、袋本体１１０は、厚さ寸法が、例えば、１０μｍ〜６０μｍ程度の柔軟性を備える樹脂フィルムから成り、典型的には、内部の収納物１３０を外側から視認することができるように、透明又は半透明であるが、不透明であってもよい。また、袋本体１１０は、ガスバリア性を備えることが望ましく、例えば、ポリエチレン、ポリエステル、ポリアミド等から成る複数の樹脂層をラミネートして成る基材の表面にアルミニウムを蒸着したフィルムや、シリカを蒸着したフィルムであってもよいし、ガスバリア性が良好な二軸延伸ポリビニルアルコールフィルム、二軸延伸ポリエチレンテレフタレートフィルム、エチレン−ビニルアルコール共重合体フィルム、ポリ塩化ビニリデンフィルム等のフィルム、又は、該フィルムを含むラミネートフィルムであってもよい。
【００２５】
チャック部は、袋本体１１０と同様の材質の樹脂フィルムから成る帯状の部材であって、２枚の袋本体１１０の各々における出入口の側縁に一体的に接続された一対の帯状基部と、各帯状基部の互いに対向する面に形成され、帯状基部の長手方向に延在する咬み合い条部とを備える。咬み合い条部の凸条と凹溝とが咬み合うことによって、帯状基部同士が気密に結合し、チャック部が閉じ、出入口が閉止される。これにより、減圧収納袋１００の内部は外部の空気から気密に遮断された状態となる。
【００２６】
図３及び図４に示すように、２枚の袋本体１１０のうちの一方には、袋本体１１０を厚さ方向に貫通する排気孔としての第３排気孔１７０が形成され、第３排気孔１７０に対応する位置に、排気弁部１２０が配設されている。第３排気孔１７０は、例えば、直径が１０ｍｍ〜２０ｍｍ程度の円形孔であるが、それ以外の形状であってもよく、大きさも適宜変更されてよい。また、第３排気孔１７０は、必ずしも、袋本体１１０の中央付近に形成される必要はなく、任意の位置に形成されてよいが、周縁からはある程度離れた位置に形成されることが望ましい。
【００２７】
排気弁部１２０は、プレート状の基板部１２１と、基板部１２１に取り付けられたフィルム状のダイヤフラム１２５とを備え、減圧収納袋１００内部の空気を第３排気孔１７０を通して外部に排出するとともに、外気が第３排気孔１７０を通して減圧収納袋１００内に流入することを阻止する一方向弁として機能する。なお、図３においては、袋本体１１０と基板部１２１とが離間し、かつ、基板部１２１とダイヤフラム１２５とが離間しているように描かれているが、実際には、袋本体１１０の表面と基板部１２１の裏面とは密着し、かつ、基板部１２１の表面とダイヤフラム１２５の裏面とは密着している。
【００２８】
基板部１２１には基板部１２１を厚さ方向に貫通する排気孔としての第１排気孔１２２が形成され、基板部１２１は、第１排気孔１２２が第３排気孔１７０と対応するように、すなわち、重なるように袋本体１１０の表面に取り付けられている。第１排気孔１２２は、任意の形状・大きさの孔であってよいが、第３排気孔１７０と同一形状・同一径の孔であることが望ましく、かつ、基板部１２１は、第１排気孔１２２の中心と第３排気孔１７０の中心とが一致する位置に取り付けられことが望ましい。
【００２９】
また、基板部１２１の平面視での形状は内径約２０ｍｍ、外径約４５ｍｍの環状であるが外形は必ずしも円形である必要はなく、半円形であっても、楕円形であっても、三角形であっても、四角形であっても、五角形以上の多角形であってもよく、任意の形状であってよい。基板部１２１は、排気弁部１２０の弁座として機能する部材であり、厚さが、例えば、０．２ｍｍ〜３ｍｍ程度の剛性を備える板部材であるが、ある程度の柔軟性を備え、弾性的に変形可能な部材であってもよい。さらに、基板部１２１は、例えば、アルミニウム、鋼等の金属、ポリエチレン、アクリル、ポリカーボネイト等の樹脂、ガラス等のセラミクス、繊維等を含む複合材（コンポジット）等から成るが、空気を透過しない任意の材質であってよい。また、減圧収納袋用電動空気ポンプＰによる吸気を行う場合、吸着部２２が基板部１２１の表面に密着することができ、吸気効率を高めることが可能となる材質・形状であることが好適である。
【００３０】
そして、基板部１２１の裏面は、接着、熱融着、超音波溶着等の方法によって、袋本体１１０の外表面側に気密に固着される。すなわち、外気が、基板部１２１の裏面と袋本体１１０の表面の間を通って、第１排気孔１２２及び第３排気孔１７０内に流入することがないように、基板部１２１は袋本体１１０に固着される。典型的には、基板部１２１の裏面及び袋本体１１０の表面は、ともに、平滑面である。なお、両者が気密に密着するのであれば、通しボルト、リベット等の固着部材を使用して、基板部１２１を袋本体１１０に固着することであってもよい。
【００３１】
また、ダイヤフラム１２５にはダイヤフラム１２５を厚さ方向に貫通する排気孔としての第２排気孔１２６が形成され、ダイヤフラム１２５は、第２排気孔１２６が第１排気孔１２２と対応しないように、すなわち、重ならないように基板部１２１の表面に剥離可能に貼付されている。第２排気孔１２６は、円形のみならず任意の形状の孔であってよい。
【００３２】
第２排気孔１２６の数は、複数であることが望ましい。また、第２排気孔１２６は、例えば、直径が０．５ｍｍ〜５ｍｍ程度の大きさであることが望ましいが、大きさは適宜変更することができる。さらに、第２排気孔１２６は、平面視で第１排気孔１２２の周辺に均等に配置されることが望ましい。なお、第１排気孔１２２の周縁から第２排気孔１２６までの距離は、例えば、１ｍｍ〜４ｍｍ程度であるが、適宜変更することができる。
【００３３】
そして、ダイヤフラム１２５は、排気弁部１２０の弁体部として機能する部材であり、厚さが、例えば、１０μｍ〜６０μｍ程度の柔軟性を備えるシリコン樹脂フィルムから成り、典型的には、第１排気孔１２２の位置を外側から視認することができるように、透明又は、半透明であるが、不透明であってもよい。また、ダイヤフラム１２５は、ガスバリア性を備えることが望ましく、例えば、ポリエチレン、ポリエステル、ポリアミド等から成る複数の樹脂層をラミネートして成る基材の表面にアルミニウムを蒸着したフィルムや、シリカを蒸着したフィルムであってもよいし、ガスバリア性が良好な二軸延伸ポリビニルアルコールフィルム、二軸延伸ポリエチレンテレフタレートフィルム、エチレン−ビニルアルコール共重合体フィルム、ポリ塩化ビニリデンフィルム等のフィルム、又は、該フィルムを含むラミネートフィルムであってもよい。
【００３４】
また、ダイヤフラム１２５の平面視での形状は必ずしも円形である必要はなく任意の形状であってよいが、基板部１２１の平面視での形状と対応することが望ましい。なお、ダイヤフラム１２５の外形寸法は、基板部１２１の外形寸法より少し小さい例えば３０ｍｍ程度であることが望ましい。
【００３５】
さらに、ダイヤフラム１２５の裏面は、基板部１２１の表面に剥離可能に貼付されるために、弱い粘着性、すなわち、微粘着性を備え、かつ、再貼付性及び再剥離性を備える。例えば、ダイヤフラム１２５の裏面をそれ自体が接着性又は粘着性を備えるポリ塩化ビニリデンフィルムで形成することによって、また、例えば、ポリ塩化ビニル、ポリオレフィン等を含む接着剤の層をダイヤフラム１２５の裏面に形成することによって、微粘着性を備え、かつ、再貼付性及び再剥離性を備える裏面を得ることができる。
【００３６】
ダイヤフラム１２５の裏面の微粘着性は、減圧収納袋用電動空気ポンプＰによる吸気を行った場合に、基板部１２１の表面から離間してその間を空気が流通可能となり、吸気を停止すると、再び粘着して基板部１２１の表面との間を空気が流通不能となる程度のものである。なお、ダイヤフラム１２５の周縁における裏面は、接着、熱融着、超音波溶着等の方法によって基板部１２１の表面に気密に固着されていてもよい。
【００３７】
また、基板部１２１の表面は、平滑面であることが望ましい。これにより、減圧収納袋１００内部の空気の排気を行わない状態では、ダイヤフラム１２５の裏面が基板部１２１の表面と気密に密着することができ、ダイヤフラム１２５の裏面と基板部１２１の表面との間の空気の流通を確実に防止することができる。
【００３８】
[排気弁部１２０の他の実施例]
図５及び図６を参照すると、本実施例の排気弁部１２０は、袋本体１１０の任意の箇所に穿設された透孔内面に熱融着等によって固定される胴体と、同じく袋本体１１０の透孔の部位においての袋本体１１０の外面からその胴体に嵌合される円板状の基板部１２１と、該基板部１２１の中央に内方段差状となって形成された筒孔内で上下動可能となって上面が露出されている弁体部１２５´とから構成されている。
【００３９】
胴体の中心下側には段差状に縮径された空気流通路が形成され、胴体の外周縁には円板状の固定板が延設されている。さらに、胴体の内側には、突起状のガイド部が中央に起立配置されて、円弧状の開口が空気流通路への入口となる。
【００４０】
また、固定板の上面には同心円状となった複数のリング溝を備えている。そして、固定板が袋本体１１０の透孔周囲の内面に当該リング溝に食い込ませるようにして熱融着され、袋本体１１０の透孔から外方に突出された胴体の外周縁が、基板部１２１下面に筒孔から段差状となって周設されている拡径内周面に嵌合して弁体部１２５´の上面を筒孔から外方に露出させる。なお、固定板および基板部１２１は、弁体部１２５´の直径よりも少し大きい外径を有している。
【００４１】
この基板部１２１上面には外気を流入するための空気流入用突起を、例えば、僅かに隆起させて放射状に形成し、所定の間隔だけ隔離させることであってもよい。なお、これは従来の吸引装置としての電気掃除機の吸引力が大きいため、空気を逃げるようにして吸気パワーを調整するために設けられるものである。
【００４２】
そして、基板部１２１の筒孔には、上下に摺動可能とし、かつ、胴体の空気流通路を介しての空気の流れを制御するための円形蓋状の弁体部１２５´が装着される。すなわち、弁体部１２５´の下面中央には、胴体のガイド部が挿入される筒状の挿入部が突設され、挿入部先端外周には、胴体の中心下側にある空気流通路の内壁に嵌挿されて弁体部１２５´自体を固定するためのＯリング状のシール部材が付設されている。また、挿入部外周面の前後対称位置には縦長のリブが突設され、該リブの下端には基板部１２１の筒孔に係止されるよう外径方向に突出した係止部が形成され、これによって弁体部１２５´の離脱および昇降幅を制限する。さらに、弁体部１２５´下面の略周縁における左右対称位置には、挿入部に対向して離間配置された一対のガイド用脚部が垂設される。
【００４３】
弁体部１２５´は、ガイド用脚部によって支持されながら基板部１２１の筒孔から上昇移動した際には、弁体部１２５´の挿入部と胴体のガイド部とが離反して、弁体部１２５´の係止部が基板部１２１の筒孔に係止されることで、基板部１２１と弁体部１２５´との間に、胴体の空気流通路と連通する流路が形成されて排気が可能となる。
【００４４】
減圧収納袋用電動空気ポンプＰの吸気口部１２（図６（ａ）に示すようにその断面は直線状となる。）が弁体部１２５´を覆うようにして基板部１２１に密着する。そして、減圧収納袋用電動空気ポンプＰによる吸気を行った場合、吸着部２２に覆われた空間の空気を減圧収納袋用電動空気ポンプＰ側に追い出すことで空間内の空気が減るので気圧も下がるため、弁体部１２５´の上面が負圧となって上昇移動し、胴体の中心下側の空気流通路が開放されて、袋本体１１０内の空気を排気弁１２０から排気可能となる。
【００４５】
一方、排気後には、減圧収納袋用電動空気ポンプＰの吸気口部１２を基板部１２１から取り外すと、外気圧によって弁体部１２５´が押し下げられて弁体部１２５´の挿入部に胴体のガイド部が挿入され、かつ、弁体部の周縁部が基板部１２１の筒孔上縁に係止されると同時に挿入部の外周面が胴体の空気流通路の内壁に嵌挿されることで空気流通路を密閉させる。このとき、弁体部１２５´を手指でさらに下方に押し込むことによってシール部材が胴体の空気流通路内壁にしっかりと嵌合されて弁体部１２５´自体を固定する。
【００４６】
次に、上述した構成の減圧収納袋用電動空気ポンプＰを減圧収納袋１００に対して用いる場合の使用方法について詳細に説明する。
【００４７】
最初に、減圧収納袋１００内の空気を排気する動作を説明する。まず、減圧収納袋１００の使用者は、減圧収納袋１００のチャック部を開いて出入口を開放する。続いて、使用者は、減圧収納袋１００の出入口から収納物１３０を減圧収納袋１００内に収納する。ここでは、収納物１３０は寝具としての布団であり、折り畳んで重ねた状態で減圧収納袋１００内に収納するものとする。
【００４８】
続いて、使用者は、減圧収納袋１００のチャック部を閉じて出入口を閉止する。なお、この際にスライダ部材を使用すると、容易、かつ、確実にチャック部を閉止することができ、減圧収納袋１００の内部は、外気から気密に遮断された状態となる。
【００４９】
続いて、使用者は、減圧収納袋用電動空気ポンプＰを用意し、図１に示すように、減圧収納袋用電動空気ポンプＰの吸気口部１２を減圧収納袋１００の袋本体１１０の外表面側に配設された排気弁部１２０の基板部１２１に対してダイヤフラム１２５を覆うように当接させて押圧する。なお、吸気口部１２の基板部１２１に当接する先端部の外形寸法は、基板部１２１の外形寸法より小さく、平面視での形状は外径約３０ｍｍの略円形である。はみ出てしまうと被取付面Ｗと吸気口部１２（吸着面Ｓ）との間への気体の流入を許容することとなる場合があり、これを防止するためである。
【００５０】
続いて、使用者が減圧収納袋用電動空気ポンプＰのスイッチ１４をＯＮして作動させ吸気を開始させる。すなわち、スイッチ１４をＯＮして電動モータを駆動させて、電動モータにより回転翼１４を回転させ、空気を吸気口部１２からポンプケーシング内に吸入し、ポンプケーシング内の所定の通路を経由させてポンプケーシングの端部壁の排気口部１３から排出し始める。すると、吸気口部１２に対応（対抗）する部分のダイヤフラム１２５は、減圧収納袋用電動空気ポンプＰから受ける気圧差に起因する吸引力により吸引されて基板部１２１から離間する方向（図３における上方向）に変位させられる。これにより、吸気口部１２に対応（対抗）する部分のダイヤフラム１２５の裏面が基板部１２１の表面から離間してダイヤフラム１２５の裏面と基板部１２１の表面ａとの間を空気が流通可能となる。すなわち、排気弁部１２０は開状態となる。これにより、減圧収納袋用電動空気ポンプＰの吸気動作に応じて、減圧収納袋１００内の空気は、第３排気孔１１７、第１排気孔１２２、離間したダイヤフラム１２５の裏面と基板部１２１の表面との間、及び、第２排気孔１２６を通って、排気される。なお、ダイヤフラム１２５の裏面が基板部１２１の表面から離間する距離は、極めて微小であってもよい。
【００５１】
そして、減圧収納袋１００内の空気が十分に排気されて減圧状態又は真空状態となり、収納物１３０が十分に圧縮減容されると、使用者は減圧収納袋用電動空気ポンプＰのスイッチ１４をＯＦＦして作動を停止させる。すると、吸気力が消滅するので、吸気口部１２に対応する部分のダイヤフラム１２５は元の状態に復帰する。これにより、吸気口部１２に対応する部分のダイヤフラム１２５の裏面が基板部１２１の表面に再び密着し、ダイヤフラム１２５の裏面と基板部１２１の表面との間は空気が流通不能となる。すなわち、排気弁部１２０は閉状態に復帰する。これにより、減圧収納袋１００の内部は、外気から気密に遮断された状態となるので、減圧状態又は真空状態が維持される。また、減圧収納袋１００内の圧力が外気の圧力よりも低くなるので、圧力差によってダイヤフラム１２５が基板部１２１に押し付けられ、ダイヤフラム１２５の裏面と基板部１２１の表面との密着性が高まり、排気弁部１２０の閉状態が確実に維持される。
【００５２】
したがって、収納物１３０を圧縮減容して嵩を小さくした状態で保管することができ、家庭内の収納スペースを極めて有効に利用することができる。また、減圧収納袋１００の内部が減圧状態又は真空状態に維持されるので、防カビ、防虫等の効果も期待することができる。
【００５３】
また、上記の排気弁部１２０の他の実施例が適用される場合であっても、上述の使用方法と基本的には同様であり、ダイヤフラム１２５の代わりに、減圧収納袋用電動空気ポンプＰの吸気口部１２を減圧収納袋１００の袋本体１１０の外表面側に配設された排気弁部１２０の基板部１２１に対して弁体部１２５´を覆うように当接させて押圧する点などが主に相違する。
【００５４】
また、本実施形態の変形例として、基板部１２１が袋本体１１０の内表面側に設けられている場合を考える。減圧収納袋用電動空気ポンプＰの吸気口部１２は、袋本体１１０の厚さ寸法が微小であるので、あたかも基板部１２１にダイレクトに吸着するのと同様の動作を行うが、厳密には、被取付面Ｗは、袋本体１１０（基板部１２１に重なり対応する部分）ということになる。すなわち、吸気口部１２は、基板部１２１に吸着しようとすることにより袋本体１１０（基板部１２１に重なり対応する部分）に密着することとなる。吸気口部１２は、袋本体１１０を介在させながら、基板部１２１に吸着しているとも表現できる。なお、袋本体１１０の基板部１２１に重なり対応する部分と基板部１２１の表面は少なくとも一部が剥離しないように接着、熱融着、超音波溶着等の方法によって、袋本体１１０の内表面側に気密に固着されていればよい。
【００５５】
上記の本実施形態によれば、減圧収納袋に収納物が収納された状態から、減圧収納袋内の空気を排気するための吸気を減圧収納袋用電動空気ポンプで行うと、吸気口部が減圧収納袋の排気弁弁体部を覆うように減圧収納袋の排気弁基板部と当接して、外気の侵入や空気の漏れを低減するので、効果的かつ効率的に減圧収納袋に収納された収納物を減圧圧縮することができる。
また、吸気口部が減圧収納袋の排気弁部を覆う態様であるので、吸気口部が排気弁部の内部に嵌め込まれる態様と異なり、排気弁部の大きさが異なっていても吸気口部が排気弁部を覆うことができる大きさ・形状である限り、対応（有効に使用）可能となる。
【００５６】
以下、本考案の第２の実施の形態について説明する。基本的な構成は上記の第１の実施の形態と同様であるが、図７に示すように、減圧収納袋用電動空気ポンプＰの吸気口部１２が、上記の第１の実施の形態のように環状（例えば、厚さ寸法１ｍｍ〜３ｍｍ、高さ寸法１０ｍｍ〜２０ｍｍ）ではなく、末広がりの吸盤状になっており、断面図は図７のように直線的ではなくなっている。
このように構成することで、より大きな弁体部等にも容易に対応することができる。
【００５７】
以下、本考案の第３の実施の形態について説明する。基本的な構成は上記の第１の実施の形態と同様であるが、図８に示すように、減圧収納袋用電動空気ポンプＰの吸気口部１２にアダプタ部２０を接続可能であってもよい。
【００５８】
[減圧収納袋用電動空気ポンプＰ−アダプタ部２０]
図８に示すように、本実施形態の減圧収納袋用電動空気ポンプＰのアダプタ部２０は、接続部２１と、吸着部２２から構成されている。ここでも、まず、接続部２１の構成について説明した後に、吸着部２２の構成について説明する。
【００５９】
[アダプタ部２０−接続部２１]
接続部２１は、一端が上記のポンプ本体１０に設けられた吸気口部１２と相互に挿嵌するように吸気口部１２よりも僅かに小径又は大径の環状（例えば、厚さ寸法１ｍｍ〜３ｍｍ、高さ寸法２０ｍｍ〜４０ｍｍ）の筒状に形成されている。吸気口部１２に脱着可能となっていてもよい。他端はアダプタ部２０の吸着部２２と接着、熱融着、超音波溶着等の方法によって気密に連接している。汎用プラスティック、ポリエチレン樹脂等の樹脂製であってよい。なお、アダプタ部２０の接続部２１と吸着部２２は一体成型されることであってもよい。
【００６０】
[アダプタ部２０−吸着部２２]
開口吸盤体からなる吸着部２２は、可撓弾性を有するゴムや合成樹脂等を平面視開口円形をなす開口皿状に成形したものであり、凹面が被取付面Ｗである基板部１２１に当接させて吸着させる吸着面Ｓに設定され、凸面側が背面Ｒに設定されている。なお、吸着部２２の基板部１２１に当接する先端部の外形寸法は、基板部１２１の外形寸法より小さく、平面視での形状は例えば外径約３０ｍｍの略円形である。
【００６１】
吸着部２２は、ダイヤフラム１２５を覆うようにして、吸着面Ｓの略全面又は一部を被取付面Ｗに当接して押圧されることで変形する（空気を外に追い出すことで中の空気が減るので気圧も下がる。）が、皿状に戻ろうとする自己弾性復元力によって、吸着面Ｓと被取付面Ｗとの間が負圧になることに起因して、被取付面Ｗに吸着する（一般的な吸盤と同様の原理である。）。被取付面Ｗへの吸着面Ｓの当接のし易さ、及び自己弾性復元力を考慮して、平面視開口部から周縁部に向けて肉厚（好適には０・５ｍｍ〜０・７ｍｍ）が漸減するように形成されていてもよい。なお、被取付面Ｗに当接して押圧されることで変形した際の外形寸法も基板部１２１の外形寸法より小さく（例えば外径約３８ｍｍ）なるように形成されている。また、接続部２１が吸着部２２の背面Ｒから突出した態様となるように同心に連接される開口部は、当該吸着部２２を成形する際に貫通穴が穿設されることであってよい。開口部は、接続部２１と略同一の外径に設定されている。
【００６２】
使用者の吸着部２２に対する押圧により、不均一に押し潰されることなく、形状に即して変形する。したがって、吸着部２２の吸着面Ｓは、吸着部２２の全周に亘って被取付面Ｗに均一な状態で密接しており、被取付面Ｗと吸着部２２（吸着面Ｓ）との間への気体の流入を確実に防止することができ、吸着体の被取付面Ｗに対する吸着状態を長期に亘って維持することができる。
【００６３】
また、使用者の吸着部２２に対する押圧により、吸着部２２の吸着面Ｓが吸着部２２の全周のうち一部が基板部１２１の被取付面Ｗに密接しているに過ぎない状態であってもよい。後述するように減圧収納袋用電動空気ポンプＰの吸気時に吸着部２２の吸着面Ｓは、吸着部２２の全周に亘って被取付面Ｗに均一な状態でより強固に密接することとなり、基板部１２１の被取付面Ｗと吸着部２２（吸着面Ｓ）との間への気体の流入を確実に防止することができるからである。
【００６４】
このようなアダプタ部２０により、吸気能力が十分大きくない減圧収納袋用電動空気ポンプＰを利用した場合であっても、吸気口部１２の小径を含む形状や高さ寸法に起因するその吸気の際に吸気口部１２と減圧収納袋１００の排気弁部１２０の間隙から外気を吸引してしまう（外気を流入させてしまう。）という吸引力の分散による減圧収納袋１００内の排気効率が低下することを回避し、効果的かつ効率的に減圧収納袋１００の排気弁部１２０から排気させ、減圧収納袋１００に収納された収納物１３０を減圧圧縮することが可能となる。
【００６５】
使用者の吸着部２２に対する押圧により、不均一に押し潰されることなく、形状に即して変形する。したがって、吸着部２２の吸着面Ｓは、吸着部２２の全周に亘って基板部１２１の被取付面Ｗに均一な状態で密接した場合には、基板部１２１の被取付面Ｗと吸着部２２（吸着面Ｓ）との間への気体の流入を確実に防止することができ、吸着体の被取付面Ｗに対する吸着状態を長期に亘って維持することができる。このようにアダプタ部２０（吸着部２２）により、吸気能力が十分大きくない減圧収納袋用電動空気ポンプＰを利用した場合であっても、吸気口部１２の小径を含む形状や高さ寸法に起因するその吸気の際に吸気口部１２と減圧収納袋１００の排気弁部１２０の間隙から外気を吸引してしまう（外気を流入させてしまう。）という吸引力の分散による減圧収納袋１００内の排気効率が低下することを回避し、効果的かつ効率的に減圧収納袋１００の排気弁部１２０から排気させ、減圧収納袋１００に収納された収納物１３０を減圧圧縮することが可能となる。
一方、使用者の吸着部２２に対する押圧により、吸着部２２の吸着面Ｓが吸着部２２の全周のうち一部が被取付面Ｗに密接しているに過ぎない（一部間隙が生じている）状態（図９（ａ）参照）であってもよい。後述する減圧収納袋用電動空気ポンプＰの吸気時に吸着部２２の吸着面Ｓは、吸着部２２の全周に亘って被取付面Ｗに均一な状態でより強固に密接することとなり、被取付面Ｗと吸着部２２（吸着面Ｓ）との間への気体の流入を確実に防止することができるからである。
【００６６】
その他、一々例示はしないが、本考案は、その趣旨を逸脱しない範囲内において、各構成部分の大きさや位置・数・形状を含む種々の変更が加えられて実施されてよい。
【符号の説明】
【００６７】
Ｐ        減圧収納袋用電動空気ポンプ
１０      ポンプ本体
１２      吸気口部
１３      排気口部
２０      アダプタ部
１００    減圧収納袋
１１０    袋本体
１２０    排気弁部
１２１    基板部
１２５    ダイヤフラム
１３０    収納物
【図１】
0003188021.tif 000003
【図２】
0003188021.tif 000004
【図３】
0003188021.tif 000005
【図４】
0003188021.tif 000006
【図５】
0003188021.tif 000007
【図６】
0003188021.tif 000008
【図７】
0003188021.tif 000009
【図８】
0003188021.tif 000010